(57)【要約】【課題】  操作者による印刷設定をミスのために、所望する出力結果が得られないといったことを防ぐ。【解決手段】  操作者による印刷設定ミスを未然に防ぐために、各操作者に合わせた防止策というものを提案する。まず、操作者が印刷ミスを犯しやすい設定（以後『ミス設定』）を予め登録しておき、印刷時に、そのときの印刷設定とミス設定を比較し、ミス設定に該当する場合には操作者に対して警告を促す。【選択図】  図３
2007058428.tif 000002
【特許請求の範囲】
【請求項１】
ネットワークに接続されたクライアントPCと画像形成装置とからなる画像形成システムにおいて、前記クライアントPCの記憶装置に操作者が設定ミスを犯しやすい印刷設定（以後『ミス設定』）を登録する設定登録手段と、前記クラアントPCの記憶装置に印刷時に操作者が指定した印刷設定（以後『印刷設定』）を記憶させる手段と、前記印刷設定に基づいて前記クライアントPC上でジョブを生成する時に、前記ミス設定に該当する前記印刷設定があるか否かを判断する判断手段と、該当する前記印刷設定がある場合には、操作者に警告を通知する手段を有することを特徴とする印刷制御方法。
【請求項２】
前記設定登録手段で登録されるミス設定は、1つ或いは複数の設定、及び複数の設定項目を組み合わせた複合設定であることを特徴とする請求項１に記載の印刷制御方法。
【請求項３】
請求項1に記載の印刷制御方法において、前記ミス設定に該当する前記印刷設定がある場合には、操作者に前記印刷設定を確認させる印刷設定確認手段と、操作者に前記印刷設定を変更するか否かを選択させる手段と、前記印刷設定を変更するが選択された場合には、前記印刷設定を変更する手段と、操作者に印刷を続行するか否かを選択させる手段と、印刷を続行するが選択された場合には、前記印刷設定に基づいてクライアントPC上で印刷ジョブを生成する手段を有することを特徴とする印刷制御方法。
【請求項４】
前記印刷設定確認手段は、前記クライアントPCの表示装置に印刷プレビュー表示を行うことを特徴とする請求項３に記載の印刷制御方法。
【請求項５】
前記印刷設定確認手段は、前記画像形成装置において試し印刷を行うことを特徴とする請求項３に記載の印刷制御方法。
【発明の詳細な説明】
【技術分野】
【０００１】
本発明は、印刷制御方法に関するものである。
【背景技術】
【０００２】
従来から、操作者が印刷設定を短時間にかつ正確に行えるようにするための方法がいくつか考えられている。その1つとして、予め複数の設定項目を組み合わせた一つの複合設定を複合設定リストに登録しておき、印刷時には所望する印刷設定を複合設定リストから選択するといった操作だけで印刷設定が行えるといった方法がある（例えば、特許文献1を参照）。また、すべての設定項目を登録対象とするのではなく、全項目を設定するベース設定と任意の項目を設定するオーバーライド設定を準備しておき、ベース設定（全項目設定）に対してオーバーライド設定をオーバーライドすることで、所望の印刷設定を行うといった方法もある（例えば、特許文献２を参照）。
【特許文献１】特開２０００−２２２１５９号公報
【特許文献２】特開２０００−１１２６８３号公報
【発明の開示】
【発明が解決しようとする課題】
【０００３】
しかしながら、操作者が所望する印刷設定が予め登録されたものの中にない場合には、その都度設定が必要となるため、操作者が設定ミスを犯してしまうといった可能性が考えられる。ミスを犯しやすい設定のパターンというものは、操作者のレベルや操作者が置かれた状況によって異なる。このため、操作者による印刷設定ミスを未然に防ぐためには、各操作者に合わせた防止策というものが必要となる。
【課題を解決するための手段】
【０００４】
上記課題を解決するために、請求項１の発明では、ネットワークに接続されたクライアントPCと画像形成装置とからなる画像形成システムにおいて、前記クライアントPCの記憶装置に操作者が設定ミスを犯しやすい印刷設定（以後『ミス設定』）を登録する設定登録手段と、前記クラアントPCの記憶装置に印刷時に操作者が指定した前記印刷設定（以後『印刷設定』）を記憶させる手段と、前記印刷設定に基づいて前記クライアントPC上でジョブを生成する時に、前記ミス設定に該当する印刷設定があるか否かを判断する判断手段と、該当する前記印刷設定がある場合には、操作者に警告を通知する手段を有することを特徴とする印刷制御方法である。
【０００５】
上記課題を解決するために、請求項２の発明では、前記設定登録手段で登録されるミス設定は、1つ或いは複数の設定、及び複数の設定項目を組み合わせた複合設定であることを特徴とする請求項１に記載の印刷制御方法である。
【０００６】
上記課題を解決するために、請求項３の発明では、請求項１に記載の印刷制御方法において、前記ミス設定に該当する前記印刷設定がある場合には、操作者に前記印刷設定を確認させる印刷設定確認手段と、操作者に前記印刷設定を変更するか否かを選択させる手段と、前記印刷設定を変更するが選択された場合には、前記印刷設定を変更する手段と、操作者に印刷を続行するか否かを選択させる手段と、印刷を続行するが選択された場合には、前記印刷設定に基づいてクライアントPC上で印刷ジョブを生成する手段を有することを特徴とする印刷制御方法である。
【０００７】
上記課題を解決するために、請求項４の発明では、前記印刷設定確認手段は、前記クライアントPCの表示装置に印刷プレビュー表示を行うことを特徴とする請求項３に記載の印刷制御方法である。
【０００８】
上記課題を解決するために、請求項４の発明では、前記印刷設定確認手段は、前記画像形成装置において試し印刷を行うことを特徴とする請求項３に記載の印刷制御方法である。
【発明の効果】
【０００９】
本発明の印刷制御方法によって、各操作者に合わせた印刷設定ミス防止策を提供することが可能となる。
【発明を実施するための最良の形態】
【００１０】
（実施例1）
図1は、本発明に係わるシステム構成例である。クライアントPC101と画像形成装置103はネットワーク102を介して接続されている。
【００１１】
図2は、クライアントPCの構成例である。CPU201は、全体の制御を行う中央制御ユニットでる。RAM202は、データを一時的に保存する揮発性の記憶手段である。ROM203は、クライアントPC101自身の起動などの制御を含めた、プログラムを保存する読み込み専用の記憶手段である。HDD204は、データを一時的あるいは恒久的に保存を行う、あるいは、ROM203の容量を超える場合などの対処に用いる磁気媒体、すなわち、不揮発性の記憶手段である。I/O205は、ネットワーク102に接続し、データの送受信を行うためのインターフェースである。
【００１２】
図3のフローチャートを用いて、本発明の実施例について説明する。ステップ301において、操作者が、クライアントPC上に表示されるミス設定登録用のウィンドウ（例：図4）を用いてミス設定の登録を行う。例えば、図4のミス設定登録ウィンドウ401の設定項目402で『用紙サイズ』を選択し、設定値403で『LTR』を選択し、該当するか否かを選択する項目404で『該当する』を選択し、登録ボタン405を押下する。これによって、ミス設定一覧406の設定欄に『LTR』が表示され、該当欄に『〇』印が表示され、用紙サイズLTRがミス設定として登録される。また、設定項目402で『両面印刷』を選択し、設定値403で『両面長辺とじ』を選択し、該当するか否かを選択する項目404で『該当する』を選択し、登録ボタン405を押下する。このとき、絞込み条件として追加407を選択して登録する。これによって、ミス設定一覧406の設定欄に『LTR/両面長辺とじ』が表示され、該当欄に『〇』印が表示され、用紙サイズLTRかつ両面長辺とじの複合条件がミス設定として登録される。これらの登録内容は、HDD204に記憶される。
【００１３】
ステップ302において、操作者がクライアントPC上に表示される印刷設定用のウィンドウ（例：図5）を用いて印刷設定を行う。ステップ303において印刷指示を行う。印刷設定内容は、RAM202もしくは、HDD204に記憶される。
【００１４】
ステップ304において、印刷設定とミス設定の内容の比較を行い、印刷設定が登録されたミス設定に該当する場合は、ステップ305において、クライアントPCの表示画面上に警告ウィンドウを表示させる（例：図6）。ステップ306において、操作者にプレビュー画面を表示するか否かを選択させ、操作者がプレビュー画面の表示を選択した場合には（図6のプレビューのボタン602を押下）、ステップ307において、プレビュー画面（例：図7）を表示される。また、ステップ308において、操作者に試し印刷を実行するか否かを選択させ、操作者が試し印刷実行を選択した場合には（図6の試し印刷のボタン603を押下）、ステップ309において、試し印刷が実行される。
ステップ310において、操作者に印刷設定変更するか否かを選択させ、操作者が  設定変更を選択した場合には（図6の設定変更のボタン605を押下）、ステップ311において、操作者が印刷設定の変更を行う。
【００１５】
ステップ312において、操作者に印刷続行するか否かを選択させ、操作者が印刷続行を選択した場合には（図6の印刷続行のボタン604を押下）、ステップ313において印刷が実行される。また、ステップ312において、操作者が印刷続行しないを選択した場合には（図6のキャンセルボタン606を押下）、印刷がキャンセルされる。
【図面の簡単な説明】
【００１６】
【図１】システム構成図
【図２】クライアントPCの構成図
【図３】実施例を説明するフローチャート図
【図４】ミス設定登録画面の１例
【図５】印刷設定画面の１例
【図６】警告画面の１例
【図７】プレビュー画面の１例
【図１】
2007058428.tif 000003
【図２】
2007058428.tif 000004
【図３】
2007058428.tif 000005
【図４】
2007058428.tif 000006
【図５】
2007058428.tif 000007
【図６】
2007058428.tif 000008
【図７】
2007058428.tif 000009